(57)【要約】      （修正有）【課題】前後の搬送ローラー対の間に設けた断裁機での枚葉紙の断裁において、断裁機下流側の断裁機下刃刃面は垂直平面であるため前端余白断裁片は円滑に排紙されるが、断裁機上流側の断裁機下刃刃面は傾斜面であるため、後端余白断裁片の該傾斜面への滞留、断裁紙への混入などの問題が発生していた。従前の排紙方法と異なる排紙手段の提供により、後端余白断裁片の下刃刃面傾斜面への滞留を防止する。【解決手段】後端余白断裁片７を断裁機４上流側の排紙経路に落下させずに通紙位置５，６に留め置き、これを次に給紙される枚葉紙８の先端で断裁機下流側に押し出す。これにより、後端余白断裁片７を断裁機下流側の前端余白断裁片の排紙経路から排紙できる。【選択図】図５
2017148929.tif 000002
【特許請求の範囲】
【請求項１】
枚葉紙を２組のローラー対によって搬送し、これら２組のローラー対の間に位置する断裁機によって枚葉紙を所定の長さに断裁する装置において、枚葉紙もしくは断裁紙の後端の断裁によって発生し、通常、断裁機上流側の排紙経路から排紙される後端余白断裁片を、断裁後排紙することなく通紙経路に残留させ、次に給紙される枚葉紙の先端で断裁機下流側に押し出し、通常、断裁されて断裁機下流側の排紙経路へ排紙される前端断裁余白片と同じ排紙経路で排紙し、断裁機上流側の排紙経路で発生する後端余白断裁片の断裁機下刃の傾斜刃面上への滞留、断裁紙への混入などの問題を回避したことを特徴する後端余白断裁片の排紙方法。
【請求項２】
請求項１の排紙方法を採用したことを特徴とする枚葉紙断裁装置
【発明の詳細な説明】
【技術分野】
【０００１】  本発明は、枚葉紙をその給紙方向を横切る方向（以下、給紙横方向と称す）、もしくは給紙方向（以下、給紙縦方向と称す）との２方向で断裁し、給紙された枚葉紙の寸法と異なる寸法の断裁紙、もしくは複数以上に分割された断裁紙を得る装置に関し、枚葉紙の後端余白を給紙横方向断裁する際に発生する後端余白断裁片を断裁機に残留させること無く自由落下させ、後端余白断裁片の滞留、断裁紙への混入などの問題を解消する排紙方法と、この排紙方法を応用した枚葉紙搬送断裁装置に関する。
【背景技術】
【０００２】  図１は断裁装置の構造を模式的に示している。枚葉紙もしくは断裁紙（以下、枚葉紙／断裁紙と称す）１を断裁機上流側ローラー対２で断裁機４の方向へ繰り出し、断裁機４からの繰り出し量によって断裁長さが決定され、断裁時に断裁機下流側ローラー対３で支持されていた断裁紙は、断裁後、仕上り断裁紙として断裁機下流側ローラー対３で排出される。しかし、図１に示されているように、用紙先端繰り出し長さが下流側ローラー対／断裁機間距離より短い場合、断裁片は断裁機下流側ローラー対３で支持されることがなく、断裁完了時に断裁片は前端余白断裁片として断裁機４と断裁機下流側ローラー対３の間の空間に落下する。その際、断裁機４の下流側は断裁機４の下刃の垂直面であり、前端余白断裁片の落下の障害とならず、前端余白断裁片は自由落下して系外へと排出される。【０００３】  図２は断裁時に枚葉紙／断裁紙１の後端が断裁機上流側ローラー対２で支持されることなく断裁機４の上流側に残っている状況を示し、その部分は断裁によって後端余白断裁片として断裁機４と断裁機上流側ローラー対２の間の空間に落下する。しかし、断裁機４の上流側には断裁機下刃の傾斜刃面が張り出しており、この傾斜刃面が後端余白断裁片の自由落下の障害となり、時として、後端余白断裁片が断裁機下刃の傾斜刃面上に安定して留まる状況を生み出すこととなる。特に後端余白断裁片の幅が小さく、質量が軽い場合には、後端余白断裁片の断裁機下刃傾斜刃面への滞留・堆積によって排紙の障害、あるいは、次の枚葉紙による後端余白断裁片の搬送・断裁紙への混入が発生する。
【発明の概要】
【発明が解決しようとする課題】
【０００４】  断裁機４の構造上、断裁機下刃の厚さをゼロにすることはできず、必ず断裁機下刃の傾斜刃面が余白断裁片の排出経路に張り出すこととなる。この排出経路障害の問題を解決するためには、新たな排紙方法・装置を考えるか、あるいは、断裁機下刃の傾斜刃面が存在する断裁機上流側での自由落下によらない排紙方法を考えなければならない。
【課題を解決するための手段】
【０００５】  前端余白断裁片は枚葉紙先端、および断裁紙間の余白として発生し、枚葉紙断裁中に複数以上発生するため、枚葉紙の断裁中に断裁機下流側の排紙経路に排紙を繰り返し行う必要がある。しかし、後端余白断裁片は枚葉紙断裁の最後に１片だけ発生する。したがって、後端余白断裁片の排紙は、後端余白断裁片を断裁した後、次の枚葉紙の断裁を開始するまでに行えば十分である。【０００６】  本発明は、後端余白断裁片を断裁後直ちに排紙せず通紙経路に残留させ、次に断裁する枚葉紙の先端で後端余白断裁片を断裁機から押し出し、断裁機４と断裁機下流側ローラー３の間の排紙経路から確実に排紙することを特徴としている。
【発明の効果】
【０００７】  後端余白断裁片が次に断裁される枚葉紙の先端によって押し出されて断裁機４の上流側の排紙経路に落下するため、後端余白断裁片は押し出される際の慣性をもって落下する。このため、後端余白断裁は断裁機４の下刃に接触すること無く安定して排紙経路を落下することができる。【０００８】  後端余白断裁片を断裁する際に断裁面に静電気が帯電し、排紙の障害となる可能性があるが、後端余白断裁片の断裁面は落下する前に既に排紙経路上にせり出しているため、静電気による排紙障害の発生が極めて低くなる。
【実施例１】
【０００９】  図３は後端余白断裁片を次に断裁される枚葉紙の先端によって押し出すための構成を示している。断裁片保持板６は最後に断裁された後端余白断裁片を通紙経路の位置に保持するためのガイド板である。枚葉紙先端ガイド板５は次に断裁される枚葉紙の先端を後端余白断裁片の後端位置に合わせ、押し出し不良、紙詰まりの発生を防止し、確実に後端余白断裁片を押し出すためのガイド板である。【００１０】  図４は後端断裁片７の断裁が完了し、枚葉紙／断裁紙１が断裁機下流側ローラー対３によって搬送され、後端余白断裁片７が断裁片保持板６上に取り残された状態を示している。【００１１】  図５は給紙される次の枚葉紙８が断裁機上流側ローラー対２によって繰り出され、その先端が後端余白断裁片７の後端に達した状態を示している。【００１２】  図６は給紙される次の枚葉紙８が断裁長さを決めるため引き続き繰り出され、その先端が後端余白断裁片７の後端を押し続け、後端余白段紙片７が断裁機４と断裁機下流側ローラー３の間の排紙経路へと落下し排紙される状況を示している。給紙される枚葉紙８は引き続き繰り出され、図１に見られる前端余白断裁片を断裁する位置に停止する。【００１３】  枚葉紙／断裁紙１の断裁完了時に、常に後端余白断裁片７が断裁片保持板６上に残留するが、この後端余白断裁片７は必ず給紙される次の枚葉紙８の繰り出しによって排紙されるため問題とはならない。【００１４】  断裁片保持板６は断裁によって取り残された後端余白断裁片７を通紙経路の位置に保持すると同時に次の枚葉紙の先端を断裁機に通紙するガイド板の役割を果たす。【００１５】  枚葉紙先端ガイド板５は断裁片保持板６との間のギャップによって、残留している後端余白断裁片７を次の枚葉紙９の先端で押し出す際の位置関係を規定し、両者の重なりによる押し出し不良の発生、あるいは紙詰まりを防止する役割を果たす。これらの機能は公知のギャップ間隙の設定、あるいは枚葉紙先端ガイド板５と断裁片保持板６との圧接力等によって調整される。
【図面の簡単な説明】
【００１６】
【図１】  ２組のローラー対と断裁機による枚葉紙の搬送断裁
【図２】  後端余白断裁片７の断裁状況
【図３】  断裁機と断裁機上流側上流側ローラーの間への断裁片保持板と枚葉紙先端ガイド板の取付
【図４】  断裁された後端余白断裁片の残留状況
【図５】  残留する後端余白断裁片７と次の枚葉紙の先端との接触
【図６】  次の枚葉紙の先端で押し出されて排紙経路に落下する後端余白断裁片
【符号の説明】
【００１７】１．枚葉紙／断裁紙
２．断裁機上流側ローラー対
３．断裁機下流側ローラー対
４．断裁機
５．枚葉紙先端ガイド板
６．断裁片保持板
７．後端余白断裁片
８．給紙される次の枚葉紙
【図１】
2017148929.tif 000003
【図２】
2017148929.tif 000004
【図３】
2017148929.tif 000005
【図４】
2017148929.tif 000006
【図５】
2017148929.tif 000007
【図６】
2017148929.tif 000008